(57)【特許請求の範囲】
【請求項１】
一枚の矩形の布を折ってなる６面体の袋状クッションカバーにおいて、
前記６面体は、表平面と裏平面、上平面と底平面、２つの側平面がそれぞれ相対向し、
前記一枚の矩形の布は、袋状に形成するために縦方向に５列、横方向に３列、合計１５の区画に区分され、
前記１５の区画は縦方向の第１列の左上から右方向の順に折り返し部、１／２前記上平面、折り返し部、第２列は１／２前記側平面、前記表平面、１／２前記側平面、第３列は折り返し部、前記底平面、折り返し部、第４列は１／２前記側平面、前記裏平面、１／２前記側平面、第５列は折り返し部、１／２前記上平面、折り返し部とし、
前記上平面、前記底平面、前記側平面は挿入及び抜き出しするクッション材の厚みに合わせ、
前記底平面の左右両側の前記折り返し部を内側に折込んで前記側平面と接する辺で縫い合わせて縫い目を形成して底平面と側平面の一部を形成し、
２つの１／２前記上平面の先端部の辺どうしを突合せるようにして折り、その左右の前記折り返し部を内側に折込んで前記側平面と接する辺で縫い合わせて縫い目を形成して上平面と側平面の残り部分を形成し、
２つの１／２前記側平面どうしを突合せるようにして折り、この突合せた部分の上平面側のほぼ半分及び２つの１／２前記上平面の先端部の辺どうしを突合せた部分を前記クッション材の挿入口とし、
突合せた２つの前記側平面の残りの部分を縫い合わせ、
前記挿入口に開閉手段を縫い付ける事を特徴とするクッションカバー。
【発明の詳細な説明】
【０００１】
【産業上の利用分野】
本発明は機能性および使い勝手に優れたクッションカバーに関する。
【０００２】
【従来の技術】
従来のクッションカバーは複数の布を縫い合せて製作するため縫い目が沢山あった。体の接触する表平面にも底平面や上平面との境目に縫い目があるクッションカバーが多かった。縫い目は複数の布の合わせ部分であり、縫い目以外の部分に比べ若干固くなる。そのため、縫い目が表平面にあると、縫い目の部分が体に比較的強く当たることになり長時間接触すると、体の接触部が疲労したり、痛くなったり、床擦れのような肌荒れになったりしていた。クッションカバーは手作りであるため縫い目が多くなると縫製に手間取りクッションカバー製作の能率が悪かった。クッション材を交換する場合もクッション材の挿入口が上平面にしかないものが多く、挿入口部が狭かったためクッション材の挿入や抜き出しが不便であった。クッションカバーは福祉関連の団体で製作する事が多く、縫製などの製作手間が簡単で、クッション材の交換が容易で、且つ体にソフトに接触する使い心地の良いクッションカバーの工夫が求められていた。
【０００３】
【発明が解決しようとする課題】
縫い目を最小限にし縫製の手間を削減し、容易に効率的に製作できるようにする。クッションカバーの表平面の縫い目をなくし、クッションに長時間体を接触させていても疲れが少なく、痛みや床擦れのような肌荒れが生じにくいようにし、ソフトな肌当たりになるようにする。クッション材の挿入や抜き出しを簡単にする。
【０００４】
【課題を解決するための手段】
本発明は、一枚の矩形の布を折ってなる６面体の袋状クッションカバーにおいて、
前記６面体は、表平面と裏平面、上平面と底平面、２つの側平面がそれぞれ相対向し、
前記一枚の矩形の布は、袋状に形成するために縦方向に５列、横方向に３列、合計１５の区画に区分され、
前記１５の区画は縦方向の第１列の左上から右方向の順に折り返し部、１／２前記上平面、折り返し部、第２列は１／２前記側平面、前記表平面、１／２前記側平面、第３列は折り返し部、前記底平面、折り返し部、第４列は１／２前記側平面、前記裏平面、１／２前記側平面、第５列は折り返し部、１／２前記上平面、折り返し部とし、
前記上平面、前記底平面、前記側平面は挿入及び抜き出しするクッション材の厚みに合わせ、
前記底平面の左右両側の前記折り返し部を内側に折込んで前記側平面と接する辺で縫い合わせて縫い目を形成して底平面と側平面の一部を形成し、
２つの１／２前記上平面の先端部の辺どうしを突合せるようにして折り、その左右の前記折り返し部を内側に折込んで前記側平面と接する辺で縫い合わせて縫い目を形成して上平面と側平面の残り部分を形成し、
２つの１／２前記側平面どうしを突合せるようにして折り、この突合せた部分の上平面側のほぼ半分及び２つの１／２前記上平面の先端部の辺どうしを突合せた部分を前記クッション材の挿入口とし、
突合せた２つの前記側平面の残りの部分を縫い合わせ、
前記挿入口に開閉手段を縫い付ける事を特徴とする。
【０００５】
【発明の実施の形態】
図１、図２に基づいて発明の具体的な実施形態について説明する。本発明のクッションカバーは、一枚の矩形の布を折ってなる６面体の袋状クッションカバーであって、６面体は、表平面と裏平面、上平面と底平面、２つの側平面がそれぞれ相対向している。
一枚の矩形の布は、袋状に形成するために縦方向に５列、横方向に３列、合計１５の区画に区分され、前記１５の区画は縦方向の第１列の左上から右方向の順に折り返し部、１／２上平面、折り返し部、第２列は同じく１／２側平面、表平面、１／２側平面、第３列は折り返し部、底平面、折り返し部、第４列は１／２側平面、裏平面、１／２側平面、第５列は折り返し部、１／２上平面、折り返し部としてある。上平面、底平面、側平面は挿入及び抜き出しするクッション材の厚みに合わせてある。
まず、挿入及び抜き出しするクッション材の厚みに合わせた底平面２の左右両側の前記折り返し部分を内側に折込んで、２つの１／２側平面５と接する辺で縫い合わせて縫い目７を形成して底平面と側平面の一部を形成する。次に、２つの１／２上平面３どうしを突合せるようにして折り、その左右の折り返し部を内側に折込んで、２つの１／２側平面５と接する辺で縫い合わせて縫い目８を形成して上平面と側平面の残り部分を形成する。さらに、２つの側平面５どうしを突合せ、この突合せた部分の上平面側のほぼ半分及び１／２上平面３の先端部の辺どうしを突合せた部分をクッション材の挿入口とし、縫い目１０により開閉手段９を縫い付ける。挿入口以外の部分は縫い合わせて縫い目１１を形成する。
本発明のクッションカバーは表平面４と底平面２、表平面４と上平面３、表平面４と側平面５、裏平面６と底平面２、裏平面６と上平面３、裏平面６と側平面５の間に縫い目ができない。従って、それぞれの境界が曖昧であり実線で表現できないので想像線で表現している。想像線１２は表平面４と底平面２の境目を表している。想像線１３は表平面４と側平面５の境目を表している。想像線１４は裏平面６と上平面３の境目を表している。想像線１５は裏平面６と側平面５の境目を表している。クッション挿入口に縫い付ける開閉手段９としては、ファスナー９の他にマジックテープ（登録商標）なども使用できることは言うまでもない。
【０００６】
【作用】
挿入するクッション材の厚みに合わせて、布の折り返し部の両端と表平面の先端部の両端を部分的に内側に折り曲げて縫い込む事により、クッション材の厚みに応じた底平面、側平面、上平面の幅が形成できるのでクッション材がきちんと挿入できる。クッション材挿入口が上平面から側平面まで食い込んでいるので、クッション材挿入口を大きく開くことができ、且つ、表平面が挿入口と反対方向に折れ曲がるので、クッション材を挿入したり、抜き出したりするのが容易である。
【０００７】
【発明の効果】
一枚の布でクッションカバーを構成しているので縫い目が少なくなっており、縫製の手間が大幅に省けて、容易且つ効率的に製作できるようになった。クッションカバーの表平面の縫い目を解消できているので、固い縫い目が体にあたる事がなくなり、クッションに長時間体を接触させていても疲れが少なく、痛みや床擦れのような肌荒れが生じにくく、ソフトな肌当たりになった。クッション材の挿入や抜き出しが簡単になり、体の不自由な人でも一人でクッション材の挿入や抜き出しができる人が増えた。
【図面の簡単な説明】
【図１】本発明のクッションカバーを斜めからみた透視図である。
【図２】本発明のクッションカバーの斜視図である。
【符号の説明】
１：クッションカバー、２：底平面、３：上平面、４：表平面、５：側平面、６：裏平面、７：縫い目、８：縫い目、９：ファスナー、１０：縫い目、１１：縫い目、１２：想像線、１３：想像線、１４：想像線、１５：想像線
【図１】
0004245836.tif 000002
【図２】
0004245836.tif 000003